(57)【要約】【課題】ＳＤＨ／ＳＯＮＥＴ装置でネットワーク管理者による回線接続の管理負担を軽減すること。【解決手段】伝送路更新情報抽出部１１０が主信号のパスオーバーヘッドから伝送路更新情報２００を抽出し、受信側更新情報処理部１２０が伝送路更新情報２００のEnd CH IDと自ノードのチャネル番号を比較し、伝送路更新情報処理部１５６が、End CH IDと自ノードのチャネル番号が一致する場合には、伝送路更新情報２００で指定されるチャネルと伝送路更新情報２００を受信したチャネルとをクロスコネクト制御部１５３を用いて接続または削除し、End CH IDと自ノードのチャネル番号が一致しない場合には、伝送路更新情報２００をパスする回線接続または削除をクロスコネクト制御部１５３を用いて行う。【選択図】        図１
2006086572.tif 000002
【特許請求の範囲】
【請求項１】
複数のＳＤＨ／ＳＯＮＥＴ装置に渡る新たな伝送路の設定および既設の伝送路の削除を伝送路更新として行うことが可能なＳＤＨ／ＳＯＮＥＴネットワークを構成するＳＤＨ／ＳＯＮＥＴ装置であって、
受信した主信号から伝送路更新に関する情報である伝送路更新情報を抽出する伝送路更新情報抽出手段と、
前記伝送路更新情報抽出手段により抽出された伝送路更新情報に基づいて回線設定を変更する伝送路更新手段と、
を備えたことを特徴とするＳＤＨ／ＳＯＮＥＴ装置。
【請求項２】
ユーザーからの伝送路更新指示を受け付け、受け付けた伝送路更新指示に基づいて自装置を伝送路の起点として自装置内の回線設定を変更するとともに、伝送路更新情報を生成して主信号に挿入する伝送路更新情報生成手段をさらに備えたことを特徴とする請求項１に記載のＳＤＨ／ＳＯＮＥＴ装置。
【請求項３】
前記伝送路更新手段は、前記伝送路更新情報抽出手段により抽出された伝送路更新情報が自装置宛であるか否かを判定し、伝送路更新情報が自装置宛であると判定した場合には、伝送路更新情報に基づいて自装置を伝送路の終点として回線設定の変更を行い、伝送路更新情報が自装置宛でないと判定した場合には、データが自装置を通過する回線についての設定変更を行うことを特徴とする請求項１に記載のＳＤＨ／ＳＯＮＥＴ装置。
【請求項４】
前記伝送路更新情報抽出手段が抽出する伝送路更新情報は新たに設定する伝送路についての伝送路設定情報であり、
前記伝送路更新手段は、前記伝送路更新情報抽出手段により抽出された伝送路設定情報に基づいて回線接続を行うことを特徴とする請求項１、２または３に記載のＳＤＨ／ＳＯＮＥＴ装置。
【請求項５】
複数のＳＤＨ／ＳＯＮＥＴ装置に渡る新たな伝送路の設定および既設の伝送路の削除を伝送路更新として行うことが可能なＳＤＨ／ＳＯＮＥＴネットワークを構成するＳＤＨ／ＳＯＮＥＴ装置の回線設定更新方法であって、
受信した主信号から伝送路更新に関する情報である伝送路更新情報を抽出する伝送路更新情報抽出工程と、
前記伝送路更新情報抽出工程により抽出された伝送路更新情報に基づいて回線設定を変更する伝送路更新工程と、
を含んだことを特徴とする回線設定更新方法。
【発明の詳細な説明】
【技術分野】
【０００１】
この発明は、新たな伝送路の追加および既設の伝送路の削除を伝送路更新として行うことが可能なネットワークを構成するＳＤＨ(Synchronous Digital Hierarchy)／ＳＯＮＥＴ(Synchronous Optical Network)装置およびその回線設定更新方法に関し、特に、ネットワーク管理者による回線管理の負担を軽減することができるＳＤＨ/ＳＯＮＥＴ装置およびその回線設定更新方法に関するものである。
【背景技術】
【０００２】
ＳＤＨ/ＳＯＮＥＴネットワークでは、伝送路の増設などを行う際に、ネットワークを構成するノード（ＳＤＨ／ＳＯＮＥＴ装置）ごとに回線設定（クロスコネクト）を行う必要がある。
【０００３】
従来は、この回線設定は、ネットワークの管理者が専用の監視制御装置などからネットワーク上の各ノードに対して１本１本回線設定を行っていた（例えば、特許文献１および２参照。）。また、既設の伝送路の削除を行う場合にも、ネットワークの管理者が１本１本回線設定の削除を行っていた。
【０００４】
【特許文献１】特開２０００−２５２９４１号公報
【特許文献２】特開２０００−３４１３０９号公報
【発明の開示】
【発明が解決しようとする課題】
【０００５】
しかしながら、ネットワークを構成するノードの収容回線の大容量化にともない、各ノードに対する回線設定数が増えており、回線設定や削除には多くの労力と時間が必要であるという問題がある。
【０００６】
この発明は、上述した従来技術による問題点を解消するためになされたものであり、ネットワーク管理者による回線設定や削除などの回線管理の負担を軽減することができるＳＤＨ/ＳＯＮＥＴ装置およびその回線設定更新方法を提供することを目的とする。
【課題を解決するための手段】
【０００７】
上述した課題を解決し、目的を達成するため、請求項１の発明に係るＳＤＨ／ＳＯＮＥＴ装置は、複数のＳＤＨ／ＳＯＮＥＴ装置に渡る新たな伝送路の設定および既設の伝送路の削除を伝送路更新として行うことが可能なＳＤＨ／ＳＯＮＥＴネットワークを構成するＳＤＨ／ＳＯＮＥＴ装置であって、受信した主信号から伝送路更新に関する情報である伝送路更新情報を抽出する伝送路更新情報抽出手段と、前記伝送路更新情報抽出手段により抽出された伝送路更新情報に基づいて回線設定を変更する伝送路更新手段と、を備えたことを特徴とする。
【０００８】
この請求項１の発明によれば、受信した主信号から伝送路更新に関する情報である伝送路更新情報を抽出し、抽出した伝送路更新情報に基づいて回線設定を変更するよう構成したので、各ＳＤＨ／ＳＯＮＥＴ装置の回線設定の更新を容易に行うことができる。
【０００９】
また、請求項２の発明に係るＳＤＨ／ＳＯＮＥＴ装置は、請求項１の発明において、ユーザーからの伝送路更新指示を受け付け、受け付けた伝送路更新指示に基づいて自装置を伝送路の起点として自装置内の回線設定を変更するとともに、伝送路更新情報を生成して主信号に挿入する伝送路更新情報生成手段をさらに備えたことを特徴とする。
【００１０】
この請求項２の発明によれば、ユーザーからの伝送路更新指示を受け付け、受け付けた伝送路更新指示に基づいて自装置を伝送路の起点として自装置内の回線設定を変更するとともに、伝送路更新情報を生成して主信号に挿入するよう構成したので、伝送路の起点となるＳＤＨ／ＳＯＮＥＴ装置の回線設定の更新を容易に行うことができる。
【００１１】
また、請求項３の発明に係るＳＤＨ／ＳＯＮＥＴ装置は、請求項１の発明において、前記伝送路更新手段は、前記伝送路更新情報抽出手段により抽出された伝送路更新情報が自装置宛であるか否かを判定し、伝送路更新情報が自装置宛であると判定した場合には、伝送路更新情報に基づいて自装置を伝送路の終点として回線設定の変更を行い、伝送路更新情報が自装置宛でないと判定した場合には、データが自装置を通過する回線についての設定変更を行うことを特徴とする。
【００１２】
この請求項３の発明によれば、抽出した伝送路更新情報が自装置宛であるか否かを判定し、伝送路更新情報が自装置宛であると判定した場合には、伝送路更新情報に基づいて自装置を伝送路の終点として回線設定の変更を行い、伝送路更新情報が自装置宛でないと判定した場合には、データが自装置を通過する回線についての設定変更を行うよう構成したので、伝送路の終点または中間点となるＳＤＨ／ＳＯＮＥＴ装置の回線設定の更新を容易に行うことができる。
【００１３】
また、請求項４の発明に係るＳＤＨ／ＳＯＮＥＴ装置は、請求項１の発明において、前記伝送路更新情報抽出手段が抽出する伝送路更新情報は新たに設定する伝送路についての伝送路設定情報であり、前記伝送路更新手段は、前記伝送路更新情報抽出手段により抽出された伝送路設定情報に基づいて回線接続を行うことを特徴とする。
【００１４】
この請求項４の発明によれば、抽出する伝送路更新情報は新たに設定する伝送路についての伝送路設定情報であり、抽出した伝送路設定情報に基づいて回線接続を行うよう構成したので、各ＳＤＨ／ＳＯＮＥＴ装置の回線の接続を容易に行うことができる。
【００１５】
また、請求項５の発明に係る回線設定更新方法は、複数のＳＤＨ／ＳＯＮＥＴ装置に渡る新たな伝送路の設定および既設の伝送路の削除を伝送路更新として行うことが可能なＳＤＨ／ＳＯＮＥＴネットワークを構成するＳＤＨ／ＳＯＮＥＴ装置の回線設定更新方法であって、受信した主信号から伝送路更新に関する情報である伝送路更新情報を抽出する伝送路更新情報抽出工程と、前記伝送路更新情報抽出工程により抽出された伝送路更新情報に基づいて回線設定を変更する伝送路更新工程と、を含んだことを特徴とする。
【００１６】
この請求項５の発明によれば、受信した主信号から伝送路更新に関する情報である伝送路更新情報を抽出し、抽出した伝送路更新情報に基づいて回線設定を変更するよう構成したので、各ＳＤＨ／ＳＯＮＥＴ装置の回線設定の更新を容易に行うことができる。
【発明の効果】
【００１７】
請求項１および５の発明によれば、各ＳＤＨ／ＳＯＮＥＴ装置の回線設定の更新を容易に行うことができるので、ネットワーク管理者による回線管理の負担を軽減することができるという効果を奏する。
【００１８】
また、請求項２の発明によれば、伝送路の起点となるＳＤＨ／ＳＯＮＥＴ装置の回線設定の更新を容易に行うことができるので、ネットワーク管理者による回線管理の負担を軽減することができるという効果を奏する。
【００１９】
また、請求項３の発明によれば、伝送路の終点または中間点となるＳＤＨ／ＳＯＮＥＴ装置の回線設定の更新を容易に行うことができるので、ネットワーク管理者による回線管理の負担を軽減することができるという効果を奏する。
【００２０】
また、請求項４の発明によれば、各ＳＤＨ／ＳＯＮＥＴ装置の回線の接続を容易に行うことができるので、ネットワーク管理者による回線管理の負担を軽減することができるという効果を奏する。
【発明を実施するための最良の形態】
【００２１】
以下に添付図面を参照して、この発明に係るＳＤＨ/ＳＯＮＥＴ装置およびその回線設定更新方法の好適な実施例を詳細に説明する。なお、本実施例では、本発明をリング構成のネットワークで使用されるＳＯＮＥＴ装置に適用した場合を中心に説明する。
【実施例】
【００２２】
まず、本実施例に係るＳＯＮＥＴ装置の構成について説明する。図１は、本実施例に係るＳＯＮＥＴ装置の構成を示す機能ブロック図である。同図に示すように、このＳＯＮＥＴ装置１００は、伝送路更新情報抽出部１１０と、受信側更新情報処理部１２０と、伝送路更新情報挿入部１３０と、回線接続部（クロスコネクト部）１４０と、制御部１５０とを有する。
【００２３】
伝送路更新情報抽出部１１０は、主信号のパスオーバーヘッドの空きバイト、あるいは常に使用しているわけではないパスオーバーヘッド(例えば、Ｊ１バイト、Growthバイト等)に挿入された伝送路更新情報を抽出する処理部である。
【００２４】
ここで、パスオーバーヘッドは、多重化された伝送区間（パス）に関する運用情報を伝送するための伝送フレーム中の領域である。なお、伝送路更新情報は、伝送区間（セクション）の状態管理や保守のための運用情報を伝送するための領域であるセクションオーバーヘッドに挿入することもできる。
【００２５】
また、伝送路更新情報は、複数のノードに渡る新たな伝送路の設定や既存の伝送路の削除のためにノード間で送受信される情報である。図２は、伝送路更新情報のデータ構造を示す図である。同図に示すように、この伝送路更新情報２００には、F-bitと、出力ポートと、Request/Statusと、Start Node IDと、Start CH IDと、End Node IDと、End CH IDとが含まれる。
【００２６】
F-bitは、伝送路更新情報２００であることを示すフレームビット、あるいはフレームパターンである。出力ポートは、伝送路更新情報２００を挿入した起点ノードにおいて伝送路更新情報２００を送出したポートのＩＤであり、後述するステータス情報が返送されてきたときにどのポートから送出した伝送路更新情報２００のステータス情報かを識別するために使用される。
【００２７】
Request/Statusは、当伝送路更新情報２００が制御情報かステータス情報かを示す情報である。すなわち、このRequest/Statusは、伝送路の設定・削除を実行する情報か、伝送路の設定・削除ができたかどうかを示すステータスの情報かを示す情報である。
【００２８】
Start Node IDは、伝送路更新情報２００の送信元(起点ノード)のノードＩＤであり、Start CH IDは、伝送路更新情報２００の送信元のチャネルＩＤである。End Node IDは、伝送路更新情報２００の送信先(終点ノード)のノードＩＤであり、End CH IDは、伝送路更新情報２００の送信先(終点)のチャネルＩＤである。
【００２９】
図３は、伝送路更新情報２００の詳細を示す図である。同図に示すように、出力ポートは、伝送路更新情報２００を挿入したノードの中のインタフェースカードが入るスロットの番号であるSending Slot IDと、そのインタフェースカードが有するポートの番号であるSending Port IDとから構成される。
【００３０】
Start CH IDは、起点ノードの中のインタフェースカードが入るスロットの番号であるStart Slot IDと、そのインタフェースカードが有するポートの番号であるStart Port IDと、そのポート内のＳＴＳ(Synchronous Transport Signal)チャネル番号であるStart STS CH IDとから構成される。
【００３１】
End CH IDは、終点ノードの中のインタフェースカードが入るスロットの番号であるEnd Slot IDと、そのインタフェースカードが有するポートの番号であるEnd Port IDと、そのポート内のＳＴＳチャネル番号であるEnd STS CH IDとから構成される。
【００３２】
Request/Statusには、それぞれ１ビットの情報であるR/S、Create/Delete、1way/2way、到達情報Node、到達情報CHが含まれる。R/Sは、Request/Statusが伝送路設定・削除を実行するrequest情報か実行結果のstatus情報かを示すビットであり、値が"1"ならrequest情報を示し、"0"ならstatus情報を示す。
【００３３】
Create/Deleteは、伝送路を設定するか削除するかを示すビットであり、値が"1"なら設定を示し、"0"なら削除を示す。このCreate/Deleteは、R/Sがrequestを示すとき有効である。
【００３４】
1way/2wayは、伝送路設定・削除を片方向だけ実施するか両方向実施するかを示すビットであり、値が"1"なら両方向（2way）実施し、"0"なら片方向（1way）だけ実施することを示す。この1way/2wayは、R/Sがrequestを示すとき有効である。
【００３５】
到達情報Nodeは、伝送路更新情報２００がそのEnd Node IDの示す終点ノードに到達したかどうかを示すビットであり、値が"1"なら到達、"0"なら未到達を示す。この到達情報Nodeは、R/Sがstatusを示すとき有効である。
【００３６】
到達情報CHは、終点ノードにおいて伝送路更新情報２００が示すEnd CH IDのチャネルに伝送路設定・削除が成功したたかどうか示すビットであり、値が"1"なら実行・成功を示し、"0"なら不成功を示す。この到達情報CHは、R/Sがstatusを示すとき有効である。
【００３７】
終点ノードにおいて、伝送路更新情報２００により所定のチャネルに回線接続・削除を実行した場合、R/Sをstatus、到達情報Node/CHを到達／成功を意味する値に変更し、空きセクションオーバーヘッドに挿入する。
【００３８】
また、終点ノードにおいて、伝送路更新情報２００により所定のチャネルに回線接続・削除を実行できなかった場合、R/Sをstatus、到達情報Nodeを到達、到達情報CHを不成功を意味する値に変更し、空きセクションオーバーヘッドに挿入する。これらの情報を起点ノードにおいて受信することにより、伝送路更新が実行されたことを確認することが可能である。
【００３９】
なお、空きセクションオーバーヘッドの代わりにラインオーバヘッド(例えば、DCCバイト、Ｊ０バイト等)を用いることもできる。また、Reservedは、将来の拡張用のビットである。
【００４０】
受信側更新情報処理部１２０は、伝送路更新情報抽出部１１０により抽出された伝送路更新情報２００が自装置に関するものかどうかを判断し、判断した結果を伝送路更新情報２００とともに制御部１５０に通知する処理部である。具体的には、この受信側更新情報処理部１２０は、伝送路更新情報２００の中のEnd Node IDと自装置のノード番号とを比較し、両者が一致するか否かを制御部１５０に通知する。
【００４１】
伝送路更新情報挿入部１３０は、主信号のパスオーバーヘッドの空きバイト、あるいは常に使用しているわけではないパスオーバーヘッドに制御部１５０で生成された伝送路更新情報２００を挿入する処理部である。
【００４２】
回線接続部（クロスコネクト部）１４０は、主信号を接続する処理部であり、起点チャネルまたは受信側チャネルと送信側チャネルとの回線接続（クロスコネクト）、または、受信側チャネルと終点チャネルとの回線接続を行うことによって主信号を接続する。
【００４３】
制御部１５０は、パスオーバーヘッドから抽出された伝送路更新情報２００に基づいてクロスコネクトを制御する処理部である。また、この制御部１５０は、ユーザーからの伝送路更新指示に基づいて伝送路更新情報２００を生成し、伝送路更新情報挿入部１３０に主信号への挿入を依頼する。なお、この制御部１５０の機能は、ＣＰＵで実行されるプログラムによって実現することもできる。
【００４４】
この制御部１５０は、回線データベース１５１と、クロスコネクト検索部１５２と、クロスコネクト制御部１５３と、伝送路更新情報生成部１５４と、コマンド処理部１５５と、伝送路更新情報処理部１５６とを有する。
【００４５】
回線データベース１５１は、回線接続情報を記憶したデータベースであり、クロスコネクト検索部１５２により検索され、伝送路更新情報処理部１５６により更新される。
【００４６】
クロスコネクト検索部１５２は、伝送路更新情報処理部１５６の指示に基づいて回線データベース１５１を検索する処理部であり、新たな伝送路を設定する場合には、回線設定されていないチャネルを検索し、既存の伝送路を削除する場合には、削除する伝送路に対応するチャネルを検索する。
【００４７】
クロスコネクト制御部１５３は、伝送路更新情報処理部１５６の指示に基づいて回線接続部１４０の設定を制御する処理部であり、回線の設定および回線の削除を行ってその結果を伝送路更新情報処理部１５６に通知する。
【００４８】
伝送路更新情報生成部１５４は、伝送路更新情報処理部１５６の指示に基づいて伝送路更新情報２００を生成する処理部である。この伝送路更新情報生成部１５４によって生成された伝送路更新情報２００は、伝送路更新情報挿入部１３０に渡され、主信号パスオーバーヘッドに挿入される。
【００４９】
コマンド処理部１５５は、ユーザーからの伝送路更新命令を受け付け、受け付けた伝送路更新命令を伝送路更新情報処理部１５６に伝える処理部である。
【００５０】
伝送路更新情報処理部１５６は、クロスコネクト検索部１５２、クロスコネクト制御部１５３および伝送路更新情報生成部１５４を用いて伝送路更新情報２００を処理する処理部である。
【００５１】
すなわち、この伝送路更新情報処理部１５６は、コマンド処理部１５５から伝送路更新命令を受け取ると、受け取った伝送路更新命令に基づいて伝送路更新情報２００を生成するように伝送路更新情報生成部１５４に指示する。
【００５２】
また、この伝送路更新情報処理部１５６は、受信側更新情報処理部１２０から伝送路更新情報２００を受け取ると、伝送路更新情報２００に基づいて、設定を変更するチャネルをクロスコネクト検索部１５２に検索させ、その検索結果に基づいてクロスコネクト制御部１５３に回線の設定または削除を指示する。
【００５３】
この伝送路更新情報処理部１５６が、伝送路更新情報２００に基づいて、設定を変更するチャネルをクロスコネクト検索部１５２に検索させ、その検索結果に基づいてクロスコネクト制御部１５３に回線の設定または削除を指示し、伝送路更新命令に基づいて伝送路更新情報２００を生成するように伝送路更新情報生成部１５４に指示することによって、新たな伝送路の設定や既存の伝送路の削除に必要な回線の設定や回線の削除を行うことができる。
【００５４】
次に、ＳＯＮＥＴ装置１００が、起点ノード、終点ノードおよび中間ノードとして動作する場合の動作について図４〜図６を用いて説明する。なお、ここでは、新たな伝送路を設定する場合について説明する。
【００５５】
図４は、起点ノードの動作を説明するための説明図である。同図に示すように、主信号の接続における起点のノードでは、ユーザーからの伝送路設定命令に基づいて、制御部１５０が回線データベース１５１を検索して、まだ回線設定がされていないチャネル(図中、CH sn)を探しだし、起点のチャネルと回線設定を行う(図中、破線)。
【００５６】
このとき、制御部１５０は、この回線設定とユーザーからの伝送路設定命令をもとに伝送路更新情報２００を生成して伝送路更新情報挿入部１３０−ｎに送る。ここで、伝送路更新情報２００の出力ポートには、伝送路更新情報挿入部１３０−ｎのポートＩＤ、Request/Statusには、回線設定制御を意味するデータが設定される。伝送路更新情報挿入部１３０−ｎでは、制御部１５０から送られた伝送路更新情報２００を主信号のパスオーバーヘッドに挿入する。
【００５７】
図５は、終点ノードの動作を説明するための説明図である。同図に示すように、伝送路更新情報２００を受信した終点ノードは、伝送路更新情報抽出部１１０−ｎにおいて、主信号から伝送路更新情報２００を抽出し、受信側更新情報処理部１２０に送る。すると、受信側更新情報処理部１２０は、伝送路更新情報２００から抽出したEnd Node IDと自局のNode IDを比較し、一致・不一致を判定する。
【００５８】
その結果、End Node IDと自局のNode IDが一致した場合、制御部１５０が、自局は終点ノードであると判断し、伝送路更新情報２００を受信したチャネルとEnd CH IDに示される終点チャネルCH en間に回線接続を行う(図中、破線)。
【００５９】
図６は、中間ノードの動作を説明するための説明図である。同図に示すように、伝送路更新情報２００を受信したノードは、終点ノードと同様に伝送路更新情報２００のEnd Node IDと自局のNode IDを比較し、一致・不一致を判定する。
【００６０】
その結果、End Node IDと自局のNode IDが一致しなかった場合、制御部１５０が、自局は中間ノードであると判断し、回線データベース１５１を検索し、伝送路更新情報２００を受信したチャネルのポートとリング構成における反対のポートの中から回線接続がまだされていないチャネルを探しだし、このチャネルと伝送路更新情報２００を受信したチャネルを回線設定する(図中、破線)。
【００６１】
このとき、回線設定されたチャネルの伝送路更新情報挿入部１３０−ｎに伝送路更新情報抽出部１１０−ｎで抽出された伝送路更新情報２００をそのまま通知し、伝送路更新情報挿入部１３０−ｎにおいて主信号のパスオーバーヘッドに挿入する。
【００６２】
このように、各ＳＯＮＥＴ装置１００が起点ノード、終点ノードまたは中間ノードとして動作することによって、複数のノードに渡る伝送路の設定が可能となる。また、複数のノードに渡る伝送路の削除も同様な動作により可能となる。
【００６３】
次に、本実施例に係るＳＯＮＥＴ装置１００による伝送路設定処理の処理手順について説明する。図７−１〜図７−３は、本実施例に係るＳＯＮＥＴ装置１００による伝送路設定処理の処理手順を示すフローチャートである。
【００６４】
図７−１に示すように、このＳＯＮＥＴ装置１００は、伝送路更新情報処理部１５６がユーザーからの伝送路設定制御をコマンド処理部１５５を介して受け取ると（ステップＳ１０１、肯定）、ノードを渡る伝送路設定か否かを判定し（ステップＳ１０２）、ノードを渡る伝送路設定でない場合には、ノード内での回線設定を行って処理を終了する（ステップＳ１０３）。
【００６５】
一方、ノードを渡る伝送路設定の場合には、クロスコネクト検索部１５２を用いてネットワーク側に空きチャネルがあるか否かを判定し（ステップＳ１０４）、空きチャネルがない場合には、ユーザーからの要求をキャンセルする（ステップＳ１０５）。
【００６６】
一方、ネットワーク側に空きチャネルがある場合には、伝送路更新情報生成部１５４に伝送路更新情報２００を生成させるとともに（ステップＳ１０６）、クロスコネクト制御部１５３に回線接続を実行させる（ステップＳ１０７）。そして、伝送路更新情報生成部１５４により生成された伝送路更新情報２００を伝送路更新情報挿入部１３０が受け取って主信号のパスオーバーヘッドに挿入する（ステップＳ１０８）。
【００６７】
これに対して、図７−２に示すように、伝送路更新情報２００を受信した場合には（ステップＳ１０９、肯定）、受信側更新情報処理部１２０がEnd Node IDと自分のNode IDが一致するか否かを判定し（ステップＳ１１０）、一致する場合には、自分が終点ノードであるので、伝送路更新情報処理部１５６が、伝送路更新情報２００が指定するチャネルが空いているか否かをクロスコネクト検索部１５２を用いて判定する（ステップＳ１１１）。
【００６８】
その結果、伝送路更新情報２００が指定するチャネルが空いていない場合には、伝送路設定不成功を伝送路更新情報２００を用いて通知し（ステップＳ１１２）、処理を終了する。
【００６９】
一方、伝送路更新情報２００が指定するチャネルが空いている場合には、クロスコネクト制御部１５３を用いて回線接続を実施し（ステップＳ１１３）、接続完了を示す伝送路更新情報２００を伝送路更新情報生成部１５４に生成させる（ステップＳ１１４）。そして、伝送路更新情報挿入部１３０が伝送路更新情報２００を受け取って主信号のパスオーバーヘッドに挿入する（ステップＳ１１５）。
【００７０】
これに対して、End Node IDと自分のNode IDが一致しない場合には、自分は中間ノードであるので、図７−３に示すように、伝送路更新情報処理部１５６が、伝送路更新情報２００を受信した回線と反対側の回線のチャネルが空いているか否かをクロスコネクト検索部１５２を用いて判定し（ステップＳ１１６）、空いていない場合には、伝送路設定不成功を伝送路更新情報２００を用いて通知し（ステップＳ１１７）、処理を終了する。
【００７１】
一方、伝送路更新情報２００を受信した回線と反対側の回線のチャネルが空いている場合には、クロスコネクト制御部１５３を用いて回線接続を実施し（ステップＳ１１８）、受信した伝送路更新情報２００を伝送路更新情報挿入部１３０が主信号のパスオーバーヘッドに挿入する（ステップＳ１１９）。
【００７２】
このように、伝送路更新情報処理部１５６が、ユーザーからの伝送路設定命令を受け取った場合には、起点ノードとしての処理を行い、伝送路更新情報２００を受け取った場合には、End Node IDと自分のNode IDが一致するときは終点ノードとしての処理を行い、End Node IDと自分のNode IDが一致するときは中間ノードとしての処理を行うことによって、複数のノードに渡る新たな伝送路の設定を行うことができる。
【００７３】
なお、ＳＯＮＥＴ装置では、回線設定がされていないチャネルからはＵＮＥＱ(unequipped)を送出するように規定されている。これは、逆にＵＮＥＱを受信したということは、前段以前のノードにおいて回線設定されていない、つまりこの回線を使用していないことを意味する。したがって、制御部１５０で回線設定を行うチャネルを探す際の条件にＵＮＥＱコードの受信を入れてやることにより回線設定を送受同時に行うことができる。
【００７４】
すなわち、図８−１おいて、Node Bにおいて回線設定がされていないため、Node Aに対しＵＮＥＱコードを送出している。このとき、Node Aにおいて空きチャネルを探す際、主信号送出方向で回線設定がされておらず、受信側でＵＮＥＱコードを受信しているチャネルを探すことにより双方向の回線設定(図中、破線)が可能である。
【００７５】
また、図８−２において、上記と同様にNode Cにおいて回線設定がされていないため、Node Bに対しＵＮＥＱコードを送出している。このとき、Node Bにおいて空きチャネルを探す際、主信号送出方向で回線設定がされておらず、受信側でＵＮＥＱコードを受信しているチャネルを探すことにより双方向の回線設定(図中、破線)が可能である。
【００７６】
さらに、図８−３において、Node Cにおいて回線設定がされていないため、Node Bに対しＵＮＥＱコードを送出している。中間ノードのNode Bでは、既に回線設定がされているため、Node CからのＵＮＥＱコードをNode Aに素通りする。このとき、Node Aにおいて空きチャネルを探す際、主信号送出方向で回線設定がされておらず、受信側でＵＮＥＱコードを受信しているチャネルを探すことにより双方向の回線設定(図中、破線)が可能である。
【００７７】
また、中間ノードであるNode Bは、Node Aからの伝送路更新情報２００を受けている回線(Node Aでは使われていなかったチャネル)とNode CからＵＮＥＱコードを受けている回線(Node Cで回線設定がされていないチャネル)が既に回線設定されていた場合、この双方向のパスは自局外で使用されていなかったことが判断できるので、このパスを回線設定はされているが回線設定がされていない空きチャネルと同等と判断でき、このパスを選択することができる。
【００７８】
また、各ノードにおいて回線設定を行った場合、伝送路更新情報２００において終点であるノードで伝送路更新情報２００を受信したチャネルが既に伝送路更新情報２００に示された終点チャネル以外のチャネルに回線設定が行われていることがある(図９中、一点破線)。
【００７９】
この場合、前段までのノードにおいて回線設定されてないチャネルを探して、新たに回線設定を行っている(図９中、破線)ので、終点ノードにおいて、この既回線設定は無意味であると判断できるため、この回線設定を削除することは可能である。したがって、この回線設定を強制削除し、伝送路更新情報２００に従った回線設定を新たに行うことが可能である(図９中、ニ点破線)。また、伝送路更新情報２００を受信したチャネルと伝送路更新情報２００に示された終点チャネルに既に回線設定されていた場合は、そのまま使用することができる。
【００８０】
次に、伝送路の更新例について図１０〜図１３を用いて説明する。図１０〜図１３は、伝送路の更新例を示す図（１）〜（４）である。
【００８１】
図１０は、Node AのLine3のCH3からNode CのLine4のCH3に新たな伝送路を設定する場合を示す。この場合、ユーザーは、ネットワーク・マネージメント装置あるいはクラフトポートよりNode Aに対し、それを指示するコマンドを入力する。ここで、Line3などのラインは、スロット番号とポート番号により特定される。
【００８２】
Node Aは、このコマンドによりLine3のCH3とLine1およびLine2の中のチャネルを検索し、回線設定がされていないチャネルを探し出し、そのチャネルに回線設定を行う。次にNode Aは、回線設定したチャネルの空きパスオーバーヘッドに自分のノードＩＤ(例ではID=A)とそのチャネル番号(例ではLine3, CH3)、信号をドロップするノードＩＤ(例ではID=C)とそのチャネル番号(例ではLine4,CH3)の情報をLine 1とLine 2の両方向に挿入する。
【００８３】
Node BおよびNode Dでは、Node Aから送信された伝送路更新情報２００の中の信号をドロップするノードＩＤと自分のノードＩＤとが一致しないので、伝送路更新情報２００が来たラインと反対側のラインのチャネルの中からNode Aと同様にして空きチャネルを探しだし、回線設定を行い、回線設定したチャネルの空きパスオーバーヘッドに伝送路更新情報２００をそのまま挿入する。
【００８４】
Node Cは、Node Aからの伝送路更新情報２００の中の信号をドロップするノードＩＤと自分のノードＩＤとが一致するので、伝送路更新情報２００が送られてきたチャネルと伝送路更新情報２００が指定するチャネルを回線設定する。
【００８５】
図１１は、Node AのLine3のCH3からNode CのLine4のCH3に回線をＵＮＥＱを用いて接続する場合を示す。この場合、ユーザーは、ネットワーク・マネージメント装置あるいはクラフトポートよりNode Aに対し、それを指示するコマンドを入力する。
【００８６】
Node Aは、このコマンドによりLine3のCH3とLine1およびLine2の中のチャネルを検索し、回線設定がされておらず、且つ受信側でＵＮＥＱを検出しているチャネルを探し出し、そのチャネルの双方向に回線設定を行う。次にNode Aは、回線設定したチャネルの空きパスオーバーヘッドに自分のノードＩＤ(例ではID=A)とそのチャネル番号(例ではLine3, CH3)、信号をドロップするノードＩＤ(例ではID=C)とそのチャネル番号(例ではLine4,Ch3)の情報をLine 1とLine 2の両方向に挿入する。
【００８７】
Node BおよびNode Dでは、Node Aから送信された伝送路更新情報２００の中の信号をドロップするノードＩＤと自分のノードＩＤとが一致しないので、伝送路更新情報２００が来たラインと反対側のラインのチャネルの中からNode Aと同様にして空きチャネルを探しだし、双方向に回線設定を行う。
【００８８】
Node Cは、Node Aからの伝送路更新情報２００の中の信号をドロップするノードＩＤと自分のノードＩＤとが一致するので、伝送路更新情報２００が送られてきたチャネルと伝送路更新情報２００が指定するチャネルを回線設定する。
【００８９】
図１２は、Node Cにおいて既にLine 1およびLine 2からLine 5のCH1に回線設定が行われている場合を示す。この場合、Node B、Node Dにおいて回線設定がされていないチャネルを探して新たに回線設定を行っているため、もともとNode Cにおけるこの回線設定は孤立している。したがって、この回線設定は削除可能であり、Node Cは伝送路更新情報２００に従って所定のチャネルに回線設定が可能である。
【００９０】
図１３は、Node AのLine3のCH3からNode CのLine4のCH3の回線を切断したい場合を示す。この場合、ユーザーは、ネットワーク・マネージメント装置あるいはクラフトポートよりNode Aに対し、それを指示するコマンドを入力する。
【００９１】
Node Aは、このコマンドによりLine3のCH3とLine1およびLine2で既に接続されている回線設定を切断し、回線を切断したチャネルの空きパスオーバーヘッドに自分のノードＩＤ(例ではID=A)とそのチャネル番号(例ではLine3, CH3)、信号をドロップしているノードＩＤ(例ではID=C)とそのチャネル番号(例ではLine4,Ch3)の情報をLine 1とLine 2の両方向に挿入する。
【００９２】
Node BおよびNode Dでは、Node Aから送信された伝送路更新情報２００の中の信号をドロップするノードＩＤと自分のノードＩＤとが一致しないので、伝送路更新情報２００が来たラインと回線設定されている反対側のラインのチャネルの回線を切断し、回線を切断したチャネルの空きパスオーバーヘッドに伝送路更新情報２００をそのまま挿入する。
【００９３】
Node Cは、Node Aからの伝送路更新情報２００の中の信号をドロップするノードＩＤと自分のノードＩＤとが一致するので、伝送路更新情報２００が送られてきたチャネルと伝送路更新情報２００が指定するチャネルの回線を切断する。
【００９４】
上述してきたように、本実施例では、伝送路更新情報処理部１５６が、コマンド処理部１５５を介して伝送路更新命令を受け取ると、回線接続または削除するチャネルをクロスコネクト検索部１５２を用いて探し、伝送路更新命令で指定されたチャネルとの接続または削除をクロスコネクト制御部１５３を用いて行い、伝送路更新情報生成部１５４を用いて伝送路更新情報２００を生成し、伝送路更新情報挿入部１３０が伝送路更新情報生成部１５４により生成された伝送路更新情報２００を主信号のパスオーバーヘッドに挿入する。
【００９５】
また、本実施例では、伝送路更新情報抽出部１１０が主信号のパスオーバーヘッドから伝送路更新情報２００を抽出し、受信側更新情報処理部１２０が伝送路更新情報２００のEnd CH IDと自ノードのチャネル番号を比較し、伝送路更新情報処理部１５６が、End CH IDと自ノードのチャネル番号が一致する場合には、伝送路更新情報２００で指定されるチャネルと伝送路更新情報２００を受信したチャネルとをクロスコネクト制御部１５３を用いて接続または削除し、End CH IDと自ノードのチャネル番号が一致しない場合には、伝送路更新情報２００をパスする回線接続または削除をクロスコネクト制御部１５３を用いて行う。
【００９６】
したがって、複数のノードに渡る新たな伝送路の設定または削除を自動的に行うことができ、ネットワーク管理者による回線管理の負担を軽減することができる。
【００９７】
また、本実施例では、リング構成のＳＯＮＥＴネットワークで用いられるＳＯＮＥＴ装置について説明したが、本発明はこれに限定されるものではなく、リングを構成しないＳＯＮＥＴネットワークで使用されるＳＯＮＥＴ装置にも同様に適用することができる。また、ＳＯＮＥＴ装置の代わりにＳＤＨ装置にも同様に適用することができる。
【００９８】
（付記１）複数のＳＤＨ／ＳＯＮＥＴ装置に渡る新たな伝送路の設定および既設の伝送路の削除を伝送路更新として行うことが可能なＳＤＨ／ＳＯＮＥＴネットワークを構成するＳＤＨ／ＳＯＮＥＴ装置であって、
受信した主信号から伝送路更新に関する情報である伝送路更新情報を抽出する伝送路更新情報抽出手段と、
前記伝送路更新情報抽出手段により抽出された伝送路更新情報に基づいて回線設定を変更する伝送路更新手段と、
を備えたことを特徴とするＳＤＨ／ＳＯＮＥＴ装置。
【００９９】
（付記２）ユーザーからの伝送路更新指示を受け付け、受け付けた伝送路更新指示に基づいて自装置を伝送路の起点として自装置内の回線設定を変更するとともに、伝送路更新情報を生成して主信号に挿入する伝送路更新情報生成手段をさらに備えたことを特徴とする付記１に記載のＳＤＨ／ＳＯＮＥＴ装置。
【０１００】
（付記３）前記伝送路更新手段は、前記伝送路更新情報抽出手段により抽出された伝送路更新情報が自装置宛であるか否かを判定し、伝送路更新情報が自装置宛であると判定した場合には、伝送路更新情報に基づいて自装置を伝送路の終点として回線設定の変更を行い、伝送路更新情報が自装置宛でないと判定した場合には、データが自装置を通過する回線についての設定変更を行うことを特徴とする付記１に記載のＳＤＨ／ＳＯＮＥＴ装置。
【０１０１】
（付記４）前記伝送路更新手段は、伝送路更新情報が自装置宛であると判定した場合に、伝送路更新情報に基づいて自装置を伝送路の終点として回線設定の変更を行った結果を伝送路更新情報を変更して通知することを特徴とする付記３に記載のＳＤＨ／ＳＯＮＥＴ装置。
【０１０２】
（付記５）前記伝送路更新情報抽出手段は、セクションオーバーヘッドまたはパスオーバーヘッドに挿入された伝送路更新情報を抽出することを特徴とする付記１に記載のＳＤＨ／ＳＯＮＥＴ装置。
【０１０３】
（付記６）前記伝送路更新情報抽出手段が抽出する伝送路更新情報は新たに設定する伝送路についての伝送路設定情報であり、
前記伝送路更新手段は、前記伝送路更新情報抽出手段により抽出された伝送路設定情報に基づいて回線接続を行うことを特徴とする付記１〜５のいずれか一つに記載のＳＤＨ／ＳＯＮＥＴ装置。
【０１０４】
（付記７）前記伝送路更新情報抽出手段が抽出する伝送路更新情報は既存の伝送路を削除する伝送路削除情報であり、
前記伝送路更新手段は、前記伝送路更新情報抽出手段により抽出された伝送路削除情報に基づいて回線削除を行うことを特徴とする付記１〜５のいずれか一つに記載のＳＤＨ／ＳＯＮＥＴ装置。
【０１０５】
（付記８）前記伝送路更新手段は、伝送路設定情報が自装置宛であり、伝送路設定情報を受信したチャネルの回線設定がなされているときは、該回線設定を削除し、伝送路設定情報に基づいて回線接続を行うことを特徴とする付記６に記載のＳＤＨ／ＳＯＮＥＴ装置。
【０１０６】
（付記９）前記伝送路更新手段は、ＵＮＥＱ信号を用いて反対方向の回線の接続を同時に行うことを特徴とする付記６に記載のＳＤＨ／ＳＯＮＥＴ装置。
【０１０７】
（付記１０）複数のＳＤＨ／ＳＯＮＥＴ装置に渡る新たな伝送路の設定および既設の伝送路の削除を伝送路更新として行うことが可能なＳＤＨ／ＳＯＮＥＴネットワークを構成するＳＤＨ／ＳＯＮＥＴ装置の回線設定更新方法であって、
受信した主信号から伝送路更新に関する情報である伝送路更新情報を抽出する伝送路更新情報抽出工程と、
前記伝送路更新情報抽出工程により抽出された伝送路更新情報に基づいて回線設定を変更する伝送路更新工程と、
を含んだことを特徴とする回線設定更新方法。
【産業上の利用可能性】
【０１０８】
以上のように、本発明に係るＳＤＨ/ＳＯＮＥＴ装置およびその回線設定更新方法は、ＳＤＨ/ＳＯＮＥＴネットワークに有用であり、特に、ネットワーク管理者による回線管理の負担が大きい大規模ＳＤＨ/ＳＯＮＥＴネットワークに適している。
【図面の簡単な説明】
【０１０９】
【図１】本実施例に係るＳＯＮＥＴ装置の構成を示す機能ブロック図である。
【図２】伝送路更新情報のデータ構造を示す図である。
【図３】伝送路更新情報の詳細を示す図である。
【図４】起点ノードの動作を説明するための説明図である。
【図５】終点ノードの動作を説明するための説明図である。
【図６】中間ノードの動作を説明するための説明図である。
【図７−１】本実施例に係るＳＯＮＥＴ装置による伝送路設定処理の処理手順を示すフローチャート（起点ノード）である。
【図７−２】本実施例に係るＳＯＮＥＴ装置による伝送路設定処理の処理手順を示すフローチャート（終点ノード）である。
【図７−３】本実施例に係るＳＯＮＥＴ装置による伝送路設定処理の処理手順を示すフローチャート（中間ノード）である。
【図８−１】ＵＮＥＱの流れ図（１）である。
【図８−２】ＵＮＥＱの流れ図（２）である。
【図８−３】ＵＮＥＱの流れ図（３）である。
【図９】終点ノードにおいて回線設定が既にされていた場合の動作を説明するための説明図である。
【図１０】伝送路の更新例を示す図（１）である。
【図１１】伝送路の更新例を示す図（２）である。
【図１２】伝送路の更新例を示す図（３）である。
【図１３】伝送路の更新例を示す図（４）である。
【符号の説明】
【０１１０】
１００    ＳＯＮＥＴ装置
１１０，１１０−１〜１１０−ｎ    伝送路更新情報抽出部
１２０    受信側更新情報処理部
１３０，１３０−１〜１３０−ｎ    伝送路更新情報挿入部
１４０    回線接続部（クロスコネクト部）
１５０    制御部
１５１    回線データベース
１５２    クロスコネクト検索部
１５３    クロスコネクト制御部
１５４    伝送路更新情報生成部
１５５    コマンド処理部
１５６    伝送路更新情報処理部
２００    伝送路更新情報
【図１】
2006086572.tif 000003
【図２】
2006086572.tif 000004
【図３】
2006086572.tif 000005
【図４】
2006086572.tif 000006
【図５】
2006086572.tif 000007
【図６】
2006086572.tif 000008
【図７−１】
2006086572.tif 000009
【図７−２】
2006086572.tif 000010
【図７−３】
2006086572.tif 000011
【図８−１】
2006086572.tif 000012
【図８−２】
2006086572.tif 000013
【図８−３】
2006086572.tif 000014
【図９】
2006086572.tif 000015
【図１０】
2006086572.tif 000016
【図１１】
2006086572.tif 000017
【図１２】
2006086572.tif 000018
【図１３】
2006086572.tif 000019